(57)【特許請求の範囲】
【請求項１】
少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、
前記ファインダー部への光路を選択する選択手段と、
前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、
画質補正を実行する画質補正実行手段と、
前記選択手段でオプチカルビュー画像の光路が選択されている状態での撮像モードにおいて、前記画質補正実行手段により前記画質補正が実行された場合に、前記表示部のエレクトリカルビュー画像として、予め設定した初期表示パターン画像を表示して、前記オプチカルビュー画像に重畳させる画質補正時初期表示制御手段と、
前記画質補正実行手段による画質補正実行結果に基づいて、前記表示部に表示する前記初期表示パターン画像の濃度を変更して前記オプチカルビュー画像に重畳させることで、疑似的に画質結果を反映させた画像を形成する画質補正結果表示制御手段と、
を有する撮像装置。
【請求項２】
前記初期表示パターン画像が、前記表示部のエレクトリカルビュー画像の全面を均一、かつ中間的に発光量で発光した画像であることを特徴とする請求項１記載の撮像装置。
【請求項３】
前記画質補正が、露出補正であり、前記画質補正時初期表示制御手段で設定した前記初期表示パターンに対して、全面均一状態を維持しながら、露出補正情報に基づいて、表示部の発光量を調整することを特徴とする請求項１又は請求項２記載の撮像装置。
【請求項４】
前記画質補正が、ホワイトバランス補正であり、前記画質補正時初期表示制御手段で設定した前記初期表示パターンに対して、ホワイトバランス補正情報に基づいて、表示部の画素毎のカラーバランス、並びに発光量を調整することを特徴とする請求項１又は請求項２記載の撮像装置。
【請求項５】
前記画質補正が、暗部補正であり、前記画質補正時初期表示制御手段で設定した前記初期表示パターンに対して、暗部補正情報に基づいて、表示部の画素毎の発光量を調整することを特徴とする請求項１又は請求項２記載の撮像装置。
【請求項６】
前記画質補正結果表示制御手段で実行される画質補正後の表示部の表示を、周期的に点滅制御する点滅表示制御手段をさらに有することを特徴とする請求項１〜請求項５の何れか１項記載の撮像装置。
【請求項７】
前記画質補正後のエレクトリカルビュー画像の調整が完了した時点で、オプチカルビュー画像を遮光して、前記表示部にエレクトリカルビュー画像を表示するように切り替える手動又は自動の切替手段をさらに有する請求項１〜請求項６の何れか１項記載の撮像装置。
【請求項８】
少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記ファインダー部への光路を選択する選択手段と、前記選択手段で何れかの光路が選択され、前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、画質補正を実行する画質補正実行手段と、を備えた撮像装置に用いられ、画質補正後の状態をオプチカルビュー画像で確認するための表示制御方法であって、
前記撮像モード中、前記画質補正が実行された場合に、前記エレクトリカルビュー画像として、予め設定した初期表示パターン画像を表示して、前記オプチカルビュー画像に重畳させ、
前記画質補正実行結果に基づいて、前記初期表示パターン画像の濃度を変更して前記オプチカルビュー画像に重畳させることで、疑似的に画質結果を反映させた画像を形成する、
ことを特徴とする表示制御方法。
【発明の詳細な説明】
【技術分野】
【０００１】
本発明は、少なくとも撮像範囲を特定して表示するファインダーであって、光学的に入力されるオプチカルビュー画像を表示するオプチカルビューファインダー（ＯＶＦ）、並びに前記撮像素子によって撮像したエレクトリカルビュー画像を再生して表示するエレクトリカルビューファインダー（ＥＶＦ）モードを備えた撮像装置、並びに表示制御方法に関するものである。
【背景技術】
【０００２】
従来より、光学式（或いは枠式）ビューファインダー（ＯＶＦ）に入射した光像と、電子ビューファインダー（ＥＶＦ）によって表示された表示画像とをそれぞれハーフミラーを介して撮影者の肉眼に導く光学系を備えたファインダーが提案されている（特許文献１参照）。
【０００３】
この特許文献１では、ＯＶＦ及びＥＶＦの長所をそれぞれ生かすことができ、鮮明なファインダー像を得ると共に撮影範囲等の情報を知ることができる。特に、ハイブリッドモードでは、ＯＶＦ及びＥＶＦが併用されることが記載されている。
【０００４】
上記特許文献１において、ＯＶＦ及びＥＶＦを兼用するハイブリッドモードは、予め定められた情報を同時に表示する、所謂出力デバイスとしての機能に特化されたものである。
【０００５】
また、特許文献２には、撮影レンズを介して入射される被写体からの入射光の光路を分割し、一方をファインダーで観察するための接眼レンズへ導き、他方をＣＣＤ等の撮像素子へ導く構成において、分割されて接眼レンズへと至る光路上に液晶シャッターで構成されたアイピースシャッタ（焦点板を兼用）を配置することで、選択的に接眼レンズへ画像を導くと共に、液晶シャッターを例えば情報表示デバイスとして利用して、画像と共に接眼レンズへ導くことが記載されている。
【０００６】
特許文献２は、接眼レンズを覗くと、被写体画像と情報とを同時に見ることができるものの、液晶シャッターがＥＶＦとして機能することは記載されていない。
【０００７】
また、ＥＶＦ画像とＯＶＦ画像とを重畳させて表示する技術の参考として、特許文献３には、ＯＶＦの光路上に透過率調整可能な部材を配置し、ＥＶＦ画像に応じて透過度を変えることが記載されている。
【０００８】
さらに、特許文献４には、ＡＦ領域に応じて、ＥＶＦ表示を重畳して表示することが記載されている。
【先行技術文献】
【特許文献】
【０００９】
【特許文献１】特開平３−２９２０６７号公報
【特許文献２】特開２００２−２５８３５２号公報
【特許文献３】特開平６−２２１８５号公報
【特許文献４】特開２０１０−５４９２１号公報
【発明の概要】
【発明が解決しようとする課題】
【００１０】
しかしながら、上記背景技術（特に、特許文献１〜４）では、ＥＶＦ画像とＯＶＦ画像とを重畳表示することは記載されているが、ＥＶＦ画像とＯＶＦ画像を併用したときの用途として、ＯＶＦ画像では知り得ない露出設定やホワイトバラス設定等の画質補正を実行した結果をユーザーに報知するような対策は確立されていない。
【００１１】
例えば、上記画質補正を行った結果をユーザーに報知するには、ＯＶＦ画像からＥＶＦ画像に切替えて表示するのが一般的である。ＥＶＦ画像であれば、電子的に画像の濃度等を調整することができるため、ユーザーに画質補正後の状態を報知することができる。
【００１２】
ところが、このＥＶＦ画像による画像補正結果の報知は、演算処理後の画像情報を反映させるため、応答性が悪いという欠点がある。これでは、ＯＶＦ画像の特徴を生かすことができない。
【００１３】
本発明は上記事実を考慮し、オプチカルビューファインダーとエレクトリカルビューファインダーとを併用することで撮影画像を含み様々な情報報知機能の向上を図り、かつ、特に画質補正後の状態を、オプチカルビュー画像を用いて確認することができる撮像装置及び表示制御方法を得ることが目的である。
【課題を解決するための手段】
【００１４】
本発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記ファインダー部への光路を選択する選択手段と、前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、画質補正を実行する画質補正実行手段と、前記選択手段でオプチカルビュー画像の光路が選択されている状態での撮像モードにおいて、前記画質補正実行手段により前記画質補正が実行された場合に、前記表示部のエレクトリカルビュー画像として、予め設定した初期表示パターン画像を表示して、前記オプチカルビュー画像に重畳させる画質補正時初期表示制御手段と、前記画質補正実行手段による画質補正実行結果に基づいて、前記表示部に表示する前記初期表示パターン画像の濃度を変更して前記オプチカルビュー画像に重畳させることで、疑似的に画質結果を反映させた画像を形成する画質補正結果表示制御手段と、を有している。
【００１５】
本発明において、前記初期表示パターン画像が、前記表示部のエレクトリカルビュー画像の全面を均一、かつ中間的に発光量で発光した画像であることを特徴としている。
【００１６】
また、本発明において、前記画質補正が、露出補正であり、前記画質補正時初期表示制御手段で設定した前記初期表示パターンに対して、全面均一状態を維持しながら、露出補正情報に基づいて、表示部の発光量を調整することを特徴としている。
【００１７】
さらに、本発明において、前記画質補正が、ホワイトバランス補正であり、前記画質補正時初期表示制御手段で設定した前記初期表示パターンに対して、ホワイトバランス補正情報に基づいて、表示部の画素毎のカラーバランス、並びに発光量を調整することを特徴としている。
【００１８】
また、本発明において、前記画質補正が、暗部補正であり、前記画質補正時初期表示制御手段で設定した前記初期表示パターンに対して、暗部補正情報に基づいて、表示部の画素毎の発光量を調整することを特徴としている。
【００１９】
さらに、本発明において、前記画質補正結果表示制御手段で実行される画質補正後の表示部の表示を、周期的に点滅制御する点滅表示制御手段をさらに有することを特徴としている。
【００２０】
また、本発明において、前記画質補正後のエレクトリカルビュー画像の調整が完了した時点で、オプチカルビュー画像を遮光して、前記表示部にエレクトリカルビュー画像を表示するように切り替える手動又は自動の切替手段をさらに有している。
【００２１】
本発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記ファインダー部への光路を選択する選択手段と、前記選択手段で何れかの光路が選択され、前記接眼部から見える画像を見ながら、撮像指示操作に基づいて撮像素子で撮像し、当該撮像した画像をデジタル画像データとして記録する撮像モード、並びに前記撮像モードによって記録した画像を再生表示する再生モードを選択的に切り替えるモード切替手段と、画質補正を実行する画質補正実行手段と、を備えた撮像装置に用いられ、画質補正後の状態をオプチカルビュー画像で確認するための表示制御方法であって、前記撮像モード中、前記画質補正が実行された場合に、前記エレクトリカルビュー画像として、予め設定した初期表示パターン画像を表示して、前記オプチカルビュー画像に重畳させ、前記画質補正実行結果に基づいて、前記初期表示パターン画像の濃度を変更して前記オプチカルビュー画像に重畳させることで、疑似的に画質結果を反映させた画像を形成する、ことを特徴としている。
【００２２】
本発明によれば、撮像モードでファインダー部にオプチカルビュー画像のみが表示されている状態で、画質補正を行っても、オプチカルビュー画像には、その画質補正状態は反映されない。一方、画質補正が反映された状態は、エレクトリカルビュー画像を表示すれば確認可能であるが、画質補正後のエレクトリカルビュー画像を表示するまでに時間がかかる。
【００２３】
そこで、撮像モード中、画質補正が実行された場合に、エレクトリカルビュー画像として、予め設定した初期表示パターン画像（例えば予め設定した全面を均一、かつ中間的な濃度等）を表示することで、オプチカルビュー画像に重畳させておく。
【００２４】
なお、「濃度」とは、一般的に対象物の濃さを表すものであり、ここでは、「明るさ」という概念を含む。
【００２５】
その後、画質補正実行結果に基づいて、エレクトリカルビュー画像の濃度を変更してオプチカルビュー画像に重畳させることで、疑似的に画質結果を反映させた画像が形成される。
【００２６】
これにより、ファインダー部から見えるオプチカルビュー画像が擬似的に画質補正後の画像となり、ユーザーは迅速に画質補正後の状態を確認することができる。
【発明の効果】
【００２７】
以上説明した如く本発明では、オプチカルビューファインダーとエレクトリカルビューファインダーとを併用することで撮影画像を含み様々な情報報知機能の向上を図り、かつ、特に画質補正後の状態を、オプチカルビュー画像を用いて確認することができる。
【図面の簡単な説明】
【００２８】
【図１】（Ａ）は本実施の形態に係るデジタルカメラの正面図、（Ｂ）は背面図である。
【図２】本実施の形態に係るデジタルカメラの内部構成を示す概略ブロック図である。
【図３】本実施の形態に係るデジタルカメラにおける撮像制御系を主体として制御ブロック図である。
【図４】本実施の形態に係り、メインコントローラを主として実行される、画質補正に基づく、ＥＶＦＬＣＤの表示制御のための機能ブロック図である。
【図５】本実施の形態に係る画質補正画像確認制御ルーチンを示すフローチャートである。
【図６】画質補正の内、露出補正を行ったときの接眼部から見ることができる画像の遷移状態を示す流れ図である。
【図７】画質補正の内、ホワイトバランス補正を行ったときの接眼部から見ることができる画像の遷移状態を示す流れ図である。
【図８】画質補正の内、暗部補正を行ったときの接眼部から見ることができる画像の遷移状態を示す流れ図である。
【図９】補正前画像と補正後画像とを交互に表示する制御を行ったときの遷移状態を示す流れ図である。
【発明を実施するための形態】
【００２９】
図１（Ａ）に示される如く、撮像装置としてのデジタルカメラ１０の正面には、被写体像を結像させるためのレンズ１２Ｌを備えた鏡筒１２が備えられており、上面には、撮像（撮影）を実行する際にユーザーによって押圧操作されるレリーズボタン（所謂シャッター）１４と、電源スイッチ１６と、が備えられている。
【００３０】
なお、本実施の形態に係るレリーズボタン１４は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３１】
本実施の形態に係るデジタルカメラ１０では、レリーズボタン１４を前記半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き、前記全押し状態にすると撮影（撮像）が行われる。
【００３２】
一方、図１（Ｂ）に示される如く、デジタルカメラ１０の背面には、オプチカルビューファインダー（以下、［ＯＶＦ」という）と、エレクトリカルビューファインダー（以下、「ＥＶＦ」という）とが併用された接眼部１８が設けられている。ＥＶＦとＯＶＦについての詳細は後述する。なお、接眼部１８に対向するように、デジタルカメラ１０の正面（図１（Ａ）参照）には、対物レンズ２０が設けられている。
【００３３】
また、デジタルカメラ１０の背面には、撮影によって得られたデジタル画像データにより示される被写体像や各種メニュー画面、メッセージ等を表示するための背面ＬＣＤ２２と、撮影を行うモードである撮影モード及び撮影によって得られたデジタル画像データにより示される被写体像を背面ＬＣＤ２２に表示（再生）するモードである再生モードの何れかのモードに設定するために操作されるモード切替スイッチ２４と、背面ＬＣＤ２２の表示領域における上下左右の４方向の移動方向を示す４つの矢印キー及び当該４つの矢印キーの中央部に位置された決定キーの合計５つのキーを含んで構成された十字カーソルボタン２６と、が備えられている。なお、入力操作系は、前記モード切替スイッチ２４、十字カーソルボタン２６に限定されるものではなく、背面ＬＣＤ２２にタッチパネル２２ＴＰ（図２参照）機能を持たせるようにしてもよい。従って、必要に応じて全ての入力操作系を総称する場合、「操作部２８（図２参照）」という場合がある。
【００３４】
図２には、デジタルカメラ１０における内部の光路構成と、撮像画像の処理を行う制御のハード資源である制御ブロック図とが示されている。
【００３５】
前記鏡筒１２のレンズ１２Ｌから入射した光は、撮像素子（本実施の形態ではＣＣＤ３０であるが、ＣＭＯＳ等でもよい）で受光され、電気信号に変換されるようになっている。入射光に応じた電気信号は、メインコントローラ３２に入力され、各種処理が実行される。メインコントローラ３２には、鏡筒駆動ドライバ３４が接続されており、鏡筒１２を光軸方向に移動させ、撮影倍率や焦点距離を変更するようになっている。
【００３６】
また、メインコントローラ３２には、ＬＣＤＩ／Ｆ３６を介して、前記背面ＬＣＤ２２が接続されると共に、モード切替スイッチ２４や十字カーソルボタン２６を含む操作部２８が接続されている（背面ＬＣＤ２２がタッチパネル機能を備える場合は、このタッチパネル２２ＴＰも含むものとする）。
【００３７】
さらに、メインコントローラ３２には、外部メモリＩ／Ｆ３８（リーダ／ライタ兼用）が接続され、この外部メモリＩ／Ｆ３８に装填されるメモリカード４０へ画像データを記録したり、メモリカード４０から画像データを取得する。
【００３８】
ここで、本実施の形態では、メインコントローラ３２に、ＥＶＦ／ＯＶＦの併用ファインダー（ハイブリッドファインダー）を実現するために、ＬＣＤＩ／Ｆ４２を介して表示部としてＥＶＦＬＣＤ４４が接続されている。
【００３９】
すなわち、図２に示される如く、デジタルカメラ１０の内部において、接眼部１８には、光学的に被写体画像（オプチカルビュー画像）を案内する光路４８と、表示部としてのＥＶＦＬＣＤ４４に表示された画像（エレクトリカルビュー画像）を案内する光路５０とが設けられ、双方の光路４８、５０は、前記接眼部１８の手前でハーフミラー５２によって一致される（同軸）ようになっている。このため、ユーザーが接眼部１８を覗くと、オプチカルビュー画像とエレクトリカルビュー画像の双方を見ることが可能となっている。なお、本実施の形態では、デフォルト設定として、ＥＶＦＬＣＤ４４の表示はオフとし、ＯＶＦ画像のみで撮影するようになっている。
【００４０】
また、本実施の形態に係るデジタルカメラ１０では、ＥＶＦＬＣＤ４４として発光ダイオード式バックライト（以下、「ＬＥＤ式バックライト」という。）を備えたＬＣＤが適用され、前記背面ＬＣＤ２２として光電管式バックライトを備えたＬＣＤが適用されているが、これに限定されるものではない。
【００４１】
図３には、本実施の形態に係るデジタルカメラ１０における、主として撮像処理制御系の構成を説明する。
【００４２】
デジタルカメラ１０は、前述のレンズ１２Ｌを含んで構成され、鏡筒駆動ドライバ３４によって光軸方向へ移動する鏡筒１２と、鏡筒１２の光軸後方に配設されたＣＣＤ３０と、相関二重サンプリング回路（以下、「ＣＤＳ」という。）を含んで構成されたアナログ信号処理部５４と、入力されたアナログ信号をデジタルデータに変換するアナログ／デジタル変換器（以下、「ＡＤＣ」という。）５６と、所定容量のラインバッファを内蔵し、かつ入力されたデジタル画像データを後述するメモリ５８の所定領域に直接記憶させる制御を行うと共に、デジタル画像データに対して各種の画像処理を行うデジタル信号処理部６０と、を含んで構成されている。
【００４３】
ここで、アナログ信号処理部５４のＣＤＳによる相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００４４】
一方、デジタルカメラ１０は、デジタル画像データにより示される画像やメニュー画面等を背面ＬＣＤ２２に表示させるための信号を生成して背面ＬＣＤ２２に供給するＬＣＤＩ／Ｆ６２と、デジタル画像データにより示される画像やメニュー画面等をＥＶＦＬＣＤ４４に表示させるための信号を生成してＥＶＦＬＣＤ４４に供給するＬＣＤＩ／Ｆ６４と、デジタルカメラ１０全体の動作を司るＣＰＵ（中央処理装置）６６と、主として撮影により得られたデジタル画像データを記憶するＶＲＡＭ（Ｖｉｄｅｏ  ＲＡＭ）により構成されたメモリ５８と、スマートメディア（Ｓｍａｒｔ  Ｍｅｄｉａ（登録商標））により構成されたメモリカード４０をデジタルカメラ１０でアクセス可能とするための外部メモリＩ／Ｆ３８と、所定の圧縮形式でデジタル画像データに対して圧縮処理を施す一方、圧縮処理されたデジタル画像データに対して圧縮形式に応じた伸張処理を施す圧縮・伸張処理回路６８と、を含んで構成されている。
【００４５】
デジタル信号処理部６０、ＬＣＤＩ／Ｆ６２、６４、ＣＰＵ６６、外部メモリＩ／Ｆ３８、及び圧縮・伸張処理回路３４はシステムバス７０を介して相互に接続されている。従って、ＣＰＵ６６は、デジタル信号処理部６０及び圧縮・伸張処理回路６８の作動の制御、背面ＬＣＤ２２及びＥＶＦＬＣＤ４４に対する各種情報の表示、メモリ５８及びメモリカード４０へのアクセスを行うことができる。
【００４６】
一方、デジタルカメラ１０には、主としてＣＣＤ３０を駆動させるためのタイミング信号を生成してＣＣＤ３０に供給するタイミングジェネレータ７２が備えられており、ＣＣＤ３０の駆動はＣＰＵ６６によりタイミングジェネレータ６６を介して制御される。
【００４７】
ＣＰＵ６６は、ＣＣＤ３０による撮像によって得られた画像のコントラスト値が最大となるように合焦制御を行う（ＴＴＬ「Ｔｈｒｏｕｇｈ  Ｔｈｅ  Ｌｅｎｓ」方式）。
【００４８】
（画質補正画像疑似表示制御）
ここで、本実施の形態に係るデジタルカメラ１０においては、デフォルトがＯＶＦであり、撮影（撮像）時に接眼部１８を覗きながら、撮像画角を決める（構図を決めるとき）。このとき、撮像動作に先立って、被写体の状況によって、画質を調整する補正を実行する場合がある。
【００４９】
画質補正の代表例としては、露出補正、ホワイトバランス補正、暗部補正等がある。ところが、このような画質補正は、ＣＣＤ３０で受光した画像データに対して実行されるため、接眼部１８から除く画像（ＯＶＦ画像）では、補正後の確認ができない。一方、ＥＶＦＬＣＤ４４に画質補正後の画像を表示すれば、接眼部１８から画質補正後の画像を見ることができるが、画質補正のための画像データ処理（演算等）に時間がかかり、応答性が悪い。
【００５０】
そこで、本実施の形態では、ＯＶＦ画像に重複するように、ＥＶＦＬＣＤ４４を明るさを調整する機能として動作させることで、画質補正後の疑似的が画像が見られるようにした。
【００５１】
より具体的には、ＥＶＦＬＣＤ４４の階調が８ビット（０〜２５５段階）である場合に、１／２の諧調（段階値が１２８）を初期状態として表示すると、ＥＶＦＬＣＤ４４のバックライトの光の１／２の光量が、ＯＶＦ画像の重畳されることになる。
【００５２】
例えば、画質補正が露出補正の場合、ＣＣＤ３０で受光した画像データは、全領域で均一に光量が加減されるため、この加減量が決定された時点で、画像データを補正演算するのとは別に、加減量に基づいて、ＥＶＦＬＣＤ４４の階調を調整する。
【００５３】
この階調調整により、ＯＶＦ画像が擬似的に露出補正がなされた状態の画像となり、ユーザーは、露出補正で画像がどの程度変化するかを目視によって確認することができる。
【００５４】
また、例えば、画質補正がホワイトバランス補正の場合、ＣＣＤ３０で受光した画像データは、ＲＧＢの各色毎に光量が加減されるため、この加減量が決定された時点で、画像データを補正演算するのとは別に、ＲＧＢの各色の加減量に基づいて、ＥＶＦＬＣＤ４４の階調を調整する。
【００５５】
この階調調整により、ＯＶＦ画像が擬似的にホワイトバランス補正がなされた状態の画像となり、ユーザーは、ホワイトバランス補正で画像がどの程度変化するかを目視によって確認することができる。
【００５６】
さらに、例えば、画質補正が暗部補正の場合、ＣＣＤ３０で受光した画像データは、暗部である一部の領域に対して均一に光量が加減されるため、この加減量が決定された時点で、画像データの一部（暗部）を補正演算するのとは別に、当該暗部の加減量に基づいて、ＥＶＦＬＣＤ４４の階調を調整する。
【００５７】
この階調調整により、ＯＶＦ画像が擬似的に暗部補正がなされた状態の画像となり、ユーザーは、暗部補正で画像がどの程度変化するかを目視によって確認することができる。
【００５８】
図４は、メインコントローラ３２を主として実行される、画質補正に基づく、ＥＶＦＬＣＤ４４の表示制御のための機能ブロック図である。なお、この図４のブロック図は、機能的に分類したものであり、ハード構成を限定するものではない。
【００５９】
図４に示される如く、画質補正指示部１００では、操作部２８の操作に基づいて、画質補正の指示を受け付ける。
【００６０】
画質補正指示部１００は、画質補正内容解析部１０２に接続され、受け付けた指示を、この画質補正内容解析部１０２へ送出する。画質補正内容解析部１０２では、入力された指示情報を解析し、画質補正の種類を特定する。
【００６１】
画質補正内容解析部１０２は、画質補正実行指示部１０４に接続されており、特定した画質補正の種類に関する情報を送出する。画質補正実行指示部１０４は、補正処理制御部１０６に対して、補正処理の実行を指示する。補正処理制御部１０６は、指示を受けた画質補正に基づいて、記憶部１０８（露出補正プログラムメモリ１０８Ａ、ホワイトバランス補正プログラムメモリ１０８Ｂ、暗部補正プログラムメモリ１０８Ｃ等）から何れかのプログラムを読み出して起動し、当該プログラムを実行する。なお、図４では、記憶部１０８に露出補正プログラムメモリ１０８Ａ、ホワイトバランス補正プログラムメモリ１０８Ｂ、暗部補正プログラムメモリ１０８Ｃを図示したが、これら以外にも、画質補正に関するプログラムを必要に応じて記憶してもよい。これにより、操作部２８の操作に従って、それぞれプログラムが読み出され起動することができる。
【００６２】
露出補正プログラムでは、ＣＣＤ３０で受光する全体の受光データ補正するものであり、所謂絞り調整に相当する。なお、必要に応じて、ＣＣＤ３０の感度を調整する場合もある。例えば、別途設けた光量センサからの出力に応じて、ＣＣＤ３０の受光データを補正する。この場合、ＣＣＤ３０の受光データは全受光面が一律に補正される。
【００６３】
ホワイトバランス補正は、例えば、ＲＧＢの各色のバランスを調整し、被写体の状況に応じて正しい白色を認識するために、各色の受光データを補正するものである。なお、必要に応じて、ＣＣＤ３０の感度を調整する場合もある。
【００６４】
また、暗部補正は、撮影しようとする画角内に、陰影等で部分的に暗くなった領域と、他の領域との差を補間するべく、ＣＣＤの一部の領域の受光データを補正するものである。なお、必要に応じて、ＣＣＤ３０の感度を調整する場合もある。なお、この暗部補正は、該当する暗部の受光データが一律に補正される。
【００６５】
ここで、本実施の形態では、図４に示される如く、画質補正の状態を擬似的にＯＶＦ画像に反映させるべく、画質補正実行指示部１０４には、ＥＶＦＬＣＤ初期データ読出部１１０と、画質補正情報取得部１１２が接続されている。また、前記画質補正情報取得部１１２は、前記補正処理制御部１０６に接続されている。
【００６６】
前記画質補正実行指示部１０４から補正実行指示信号がＥＶＦＬＣＤ初期表示データ読出部１１０に入力されると、ＥＶＦＬＣＤ初期表示データ読出部１１０では、基準データ記憶部１１４からＥＶＦＬＣＤ４４を初期状態で動作させるための階調データを取得し、ＥＶＦＬＣＤ表示データ補正部１１６へ送出する。この初期状態の階調データは、前述したように８ビットであれば、階調値は１２８（０〜２５５の中間値）である。
【００６７】
また、ＥＶＦＬＣＤ表示データ補正部１１６には、画質補正情報取得部１１２で取得した、画質補正情報が入力されるようになっており、ＥＶＦＬＣＤ表示データ補正部１１６には、前記初期状態の階調データ（画質補正前）に続いて、画質補正後の階調データが入力される。
【００６８】
ＥＶＦＬＣＤ表示データ補正部１１６は、表示制御部１１８に接続されている。表示制御部１１８は、前記ＥＶＦＬＣＤ表示データ補正部１１６から受けた階調データ（初期状態の階調データ及び画質補正後の階調データ）に基づいて、ＬＣＤＩ／Ｆ４２を介して、ＥＶＦＬＣＤ４４に階調設定された画像（画質補正の場合は、全領域均一な明るさの画像）を表示する。
【００６９】
また、ＥＶＦＬＣＤ表示データ補正部１１６は、更新部１２０に接続されている。更新部１２０は、前記基準データ記憶部１１４に接続されている。すなわち、ＥＶＦＬＣＤ表示データ補正部１１６で認識している補正状態を、次の画質補正時の初期値とする場合には、更新部１２０を介して、基準データ記憶部１１４の基準データを更新する。なお、更新部１２０による更新は実行せず、基準データは初期に設定した固定値としてもよいし、或いは、露出補正やホワイトバランスは反映させ（更新し）、暗部補正は反映させない（更新しない）ようにし画質補正単位で更新／非更新を選択してもよい。
【００７０】
以下に本実施の形態の作用を説明する。
【００７１】
（通常の撮像／再生動作）
デジタルカメラ１０が、撮像モードに切り替えられている場合、鏡筒１２内のレンズ１２Ｌを介した撮像によってＣＣＤ３０から出力された被写体像を示す信号は順次アナログ信号処理部５４に入力されて相関二重サンプリング処理等のアナログ信号処理が施された後にＡＤＣ５６に入力され、ＡＤＣ５６は、アナログ信号処理部５４から入力されたＲ（赤）、Ｇ（緑）、Ｂ（青）の信号を各々８〜１２ビットのＲ、Ｇ、Ｂ信号（デジタル画像データ）に変換してデジタル信号処理部３０に出力する。
【００７２】
デジタル信号処理部６０は、ラインバッファにＡＤＣ５６から順次入力されるデジタル画像データを蓄積して一旦メモリ５８の所定領域に格納する。
【００７３】
メモリ５８の所定領域に格納されたデジタル画像データは、ＣＰＵ６６による制御下でデジタル信号処理部６０によって読み出され、これらに所定の物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号をメモリ５８の上記所定領域とは異なる領域に格納する。
【００７４】
なお、本実施の形態に係る背面ＬＣＤ２２は、ＣＣＤ３０による連続的な撮像によって得られた動画像（所謂「スルー画像」）を表示してファインダーとして使用することができるものとして構成されているが、このように背面ＬＣＤ２２をファインダーとして使用する場合には、生成したＹＣ信号（映像信号）を、ＬＣＤＩ／Ｆ６２を介して順次背面ＬＣＤ２２に出力する。これによって背面ＬＣＤ２２にスルー画像が表示されることになる。これは、ＥＶＦＬＣＤ４４においても同様である。
【００７５】
ここで、レリーズボタン１４がユーザによって半押し状態とされた場合、前述のようにＡＥ機能が働いて露出状態が設定された後、ＡＦ機能が働いて合焦制御され、その後、引き続き全押し状態とされた場合、この時点でメモリ５８に格納されているＹＣ信号を、圧縮・伸張処理回路６８によって所定の圧縮形式（本実施の形態では、ＪＰＥＧ形式）で圧縮した後に外部メモリＩ／Ｆ３８を介してメモリカード４０に記録することによって撮影が行われる。
【００７６】
一方、メモリカード４０（又はメモリ６６）に記憶された画像データは、背面ＬＣＤ２２（又は、ＥＶＦＬＣＤ４４）に表示させることができる。すなわち、デジタルカメラ１１を、撮像モードから再生モードに切り替えると、背面ＬＣＤ２２（ＥＶＦＬＣＤ４４）は、前述のようなスルー画像ではなく、既にメモリカード４０（又はメモリ６６）に記憶された画像データを読み出して表示する。この表示は背面ＬＣＤ２２（ＥＶＦＬＣＤ４４）の表示領域に１枚分の画像を表示することを基準として、２枚以上、或いは１枚の画像のトリミング画像を操作部２８の操作によって表示させることができる。
【００７７】
（画質補正後画像の表示制御）
本実施の形態に係るデジタルカメラ１０においては、デフォルトがＯＶＦである。
【００７８】
また、ユーザーは、撮影（撮像）時に接眼部１８を覗きながら、撮像画角を決める（構図を決めるとき）。
【００７９】
一方、ユーザーは、被写体の状況に応じて、撮像動作に先立って、被写体の状況によって、画質を調整する補正を実行する場合がある。
【００８０】
本実施の形態では、ＯＶＦ画像に重複するように、ＥＶＦＬＣＤ４４を、明るさを調整する機能として動作させることで、擬似的ではあるが、画質補正後の画像を接眼部１８から覗くＯＶＦ画像で実現させた。
【００８１】
図５は、本実施の形態に係る画質補正画像確認制御ルーチンを示すフローチャートである。このフローチャートは、ユーザーの操作部２８の操作等により、画質補正の何れかの実行指示がなされたときに起動する。
【００８２】
ステップ１５０では、画質補正種類を認識し、次いでステップ１５２へ移行してＥＶＦＬＣＤ４４の初期出力値として、最大出力光量の１／２の出力（初期状態の階調データ）に設定し、ステップ１５４へ移行する。
【００８３】
ステップ１５４では、初期出力値（初期状態の階調データ）に基づいてＥＶＦＬＣＤ４４を表示する。これにより、接眼部１８を覗いて見える画像は、ＯＶＦ画像に、ＥＶＦＬＣＤ４４からのＥＶＦ画像が重畳されたものとなり、実際には、ＯＶＦ画像のみのときよりも明るくなる。これが画質補正前の画像となる。
【００８４】
次のステップ１５６では、別途実行されている画質補正が完了したか否かが判断され、肯定判定されると、ステップ１５８へ移行して、当該画質補正情報を取得する。
【００８５】
ステップ１５８で画質補正情報を取得すると、ステップ１６０へ移行して、ＥＶＦＬＣＤ４４の出力値を、画質補正情報に基づき、補正出力値に設定する。
【００８６】
次のステップ１６２では、補正出力値に基づいてＥＶＦＬＣＤ４４を表示する。これにより、接眼部１８を覗いて見える画像は、ＯＶＦ画像にＥＶＦＬＣＤ４４からのＥＶＦ画像が重畳されたものとなり、擬似的に画質補正後の画像となる。
【００８７】
なお、このとき、ＥＶＦＬＣＤ４４の表示状態は前記初期状態から瞬時に補正出力値に移行するが、必要に応じて、徐々に変化させたり、段階的に変化させるようにしてもよい。
【００８８】
次のステップ１６４では、前記ステップ１５４でＥＶＦＬＣＤ４４に表示した初期出力値でのＥＶＦ画像と、ＯＶＦ画像との重畳画像と、ステップ１６２でＥＶＦＬＣＤ４４に表示された補正出力値でのＥＶＦ画像と、ＯＶＦ画像との重畳画像と、を所定の周期で交互に実行する。すなわち、接眼部１８から見える画像の明るさが点滅するように変化する。ユーザーはこの違いを見ることで、画質補正がどのくらい実行されたかを容易に確認することができる。なお、点滅周期は特に限定されるものではないが、周期が早すぎると残存によって、補正後の画像のみが強調される場合があり、周期が遅すぎると補正前後の確認がし難くなる場合があり、０．５秒周期前後（例えば、０．２秒〜０．８秒）が好ましい。
【００８９】
また、逆に点滅を行わず（ステップ１６４の処理を行わず）、ＥＶＦＬＣＤ４４に表示された補正出力値でのＥＶＦ画像と、ＯＶＦ画像との重畳画像を常時表示するようにしてもよい。さらには、ユーザーの何らかの操作で、ＥＶＦＬＣＤ４４に表示した初期出力値でのＥＶＦ画像交互に表示するようにしてもよい。
【００９０】
次のステップ１６６では、ＥＶＦＬＣＤ４４の表示を終了させる指示があったか否かが判断され、肯定判定されると、ステップ１６８へ移行して、ＯＶＦ画像のみの表示に戻し、このルーチンは終了する。
【００９１】
なお、次に画質補正する場合は、既に補正された状態を初期状態としてもよいし（初期出力値の更新）、常に初期出力値を固定値としてもよい。
【００９２】
（露出補正における擬似表示の遷移）
図６は、画質補正の内、露出補正を行ったときの接眼部１８から見ることができる画像の遷移状態を示したものである。
【００９３】
図６（Ａ）は、ＯＶＦ画像のみであり、所謂被写体の生画像である。この表示状態で、露出補正の指示があると、図６（Ｂ）に示される如く、階調データ１２８（０〜２５５の中間値）で、ＥＶＦＬＣＤ４４が表示される。このＥＶＦＬＣＤ４４の画像がＯＶＦ画像に合成（重畳）されることになる。図６（Ｂ）では合成（重畳）された結果が暗くなっているが、実際は、ＥＶＦＬＣＤ４４から発せられる光が、ＯＶＦ画像に加算されるため、前記生画像よりも明るい画像となる。
【００９４】
この図６（Ｂ）の重畳画像が基準となり、別途実行される露出補正の結果が、図６（Ｃ）の右端の階調レベルの鎖線になったとすると、この鎖線の階調データで、ＥＶＦＬＣＤ４４が表示される。このＥＶＦＬＣＤ４４の画像がＯＶＦ画像に合成（重畳）されることになり、露出補正結果の擬似的な画像となる。
【００９５】
（ホワイトバランス補正における擬似表示の遷移）
図７は、画質補正の内、ホワイトバランス補正を行ったときの接眼部１８から見ることができる画像の遷移状態を示したものである。
【００９６】
図７（Ａ）は、ＯＶＦ画像のみであり、所謂被写体の生画像である。この表示状態で、ホワイトバランス補正の指示があると、図７（Ｂ）に示される如く、階調データ１２８（０〜２５５の中間値）で、ＥＶＦＬＣＤ４４が表示される。このＥＶＦＬＣＤ４４の画像がＯＶＦ画像に合成（重畳）されることになる。図７（Ｂ）では合成（重畳）された結果が暗くなっているが、実際は、ＥＶＦＬＣＤ４４から発せられる光が、ＯＶＦ画像に加算されるため、前記生画像よりも明るい画像となる。
【００９７】
この図７（Ｂ）の重畳画像が基準となり、別途実行されるホワイトバランス補正の結果が、図７（Ｃ）の右端の階調レベルの鎖線になったとすると、この鎖線の階調データ（ＲＧＢの各色毎に補正された階調データ）で、ＥＶＦＬＣＤ４４が表示される。このＥＶＦＬＣＤ４４の画像がＯＶＦ画像に合成（重畳）されることになり、ホワイトバランス補正結果の擬似的な画像となる。
【００９８】
（暗部補正における擬似表示の遷移）
図８は、画質補正の内、暗部補正を行ったときの接眼部１８から見ることができる画像の遷移状態を示したものである。なお、暗部補正は、シェーディング補正を含む。
【００９９】
図８（Ａ）は、ＯＶＦ画像のみであり、所謂被写体の生画像であり、画像の一部が暗くなっている（図８（Ａ）の斜線部分参照）。この表示状態で、暗部補正の指示があると、図８（Ｂ）に示される如く、階調データ１２８（０〜２５５の中間値）で、ＥＶＦＬＣＤ４４が表示される。このＥＶＦＬＣＤ４４の画像がＯＶＦ画像に合成（重畳）されることになる。図８（Ｂ）では合成（重畳）された結果が暗くなっているが、実際は、ＥＶＦＬＣＤ４４から発せられる光が、ＯＶＦ画像に加算されるため、前記生画像よりも明るい画像となる。この図８（Ｂ）の画像でも、画像の一部が暗くなっている。
【０１００】
この図８（Ｂ）の重畳画像が基準となり、別途実行される暗部補正の結果が、図８（Ｃ）の右端の階調レベルの鎖線になったとすると、この鎖線の階調データで、ＥＶＦＬＣＤ４４が表示される。このＥＶＦＬＣＤ４４の画像がＯＶＦ画像に合成（重畳）されることになり、露出補正結果の擬似的な画像となる。擬似的な画像では、画像の一部に存在した暗部が解消されていることがわかる。ユーザーはこれを見て、暗部補正が正常に行われていることを認識することができる。
【０１０１】
なお、暗部補正（シェーディング補正）制御は、全体を基準として暗い領域を対象としたが、逆に、全体を基準として、明るい領域を対象とする補正にも適用可能である。
【０１０２】
（点滅制御）
図９は、補正前画像と補正後画像とを交互に表示する制御を行ったときの遷移状態を示している。
【０１０３】
図９（Ａ）は、暗部補正を例にとったものであり、補正前の画像と、補正後の画像とを所定の周期で交互に表示（制御的には、図９（Ｂ）に示すＥＶＦＬＣＤ４４の表示制御）すると、接眼部１８から見える画像は、補正領域が点滅するように見え、補正の状況が見易くなる。
【符号の説明】
【０１０４】
１０    デジタルカメラ（撮像装置）
１２Ｌ    レンズ
１２    鏡筒
１４    レリーズボタン
１６    電源スイッチ
１８    接眼部（ファインダー部）
２０    対物レンズ（ファインダー部）
２２    背面ＬＣＤ
２４    モード切替スイッチ
２６    十字カーソルボタン
２２ＴＰ    タッチパネル
２８    操作部
３０    ＣＣＤ
３２    メインコントローラ
３４    鏡筒駆動ドライバ
３６    ＬＣＤＩ／Ｆ
３８    外部メモリＩ／Ｆ
４０    メモリカード
４２    ＬＣＤＩ／Ｆ
４４    ＥＶＦＬＣＤ（表示部、ファインダー部）
４８    光路（ファインダー部）
５０    光路（ファインダー部）
５２    ハーフミラー（選択手段）
５４    アナログ信号処理部
５６    アナログ／デジタル変換器（ＡＤＣ）
５８    メモリ
６０    デジタル信号処理部
６２    ＬＣＤＩ／Ｆ
６４    ＬＣＤＩ／Ｆ
６６    ＣＰＵ
６８    圧縮・伸張処理回路
７０    システムバス
７２    タイミングジェネレータ
１００    画質補正指示部
１０２    画質補正内容解析部
１０４    画質補正実行指示部
１０６    補正処理制御部（画質補正実行手段）
１０８    記憶部
１０８Ａ    露出補正プログラムメモリ
１０８Ｂ    ホワイトバランス補正プログラムメモリ
１０８Ｃ    暗部補正プログラムメモリ
１１０    ＥＶＦＬＣＤ初期データ読出部（画質補正時初期表示制御手段）
１１２    画質補正情報取得部（画質補正結果表示制御手段）
１１４    基準データ記憶部
１１６    ＥＶＦＬＣＤ表示データ補正部（画質補正結果表示制御手段）
１１８    表示制御部（画質補正時初期表示制御手段、画質補正結果表示制御手段）
１２０    更新部
【図１】
0005557666.tif 000002
【図２】
0005557666.tif 000003
【図３】
0005557666.tif 000004
【図４】
0005557666.tif 000005
【図５】
0005557666.tif 000006
【図６】
0005557666.tif 000007
【図７】
0005557666.tif 000008
【図８】
0005557666.tif 000009
【図９】
0005557666.tif 000010